【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
第１、第２および第３のサブピクセル領域を有するマルチカラー有機発光ダイオードの形成方法であって、
アノード層の上に正孔注入層を適用するステップであって、前記正孔注入層が少なくとも１つの導電性ポリマーとフッ素化酸ポリマーとを含むステップと、
前記正孔注入層の上に正孔輸送層を適用するステップであって、前記正孔輸送層が正孔輸送材料と少なくとも１つのフラーレンとを含むステップと、
第１のサブピクセル領域に第１のエレクトロルミネセンス材料を適用するステップと、
第２のサブピクセル領域に第２のエレクトロルミネセンス材料を適用するステップと、
青色エレクトロルミネセンス材料を全体に適用するステップと、
カソードを適用するステップと
を含み、
ここで、前記第１および第２のエレクトロルミネセンス材料が、緑色エレクトロルミネセンス材料および赤色エレクトロルミネセンス材料からなる群から選択され、
前記第２のエレクトロルミネセンス材料が、前記第１のエレクトロルミネセンス材料の色とは異なる色を発することを条件とする方法。
【請求項２】
前記正孔注入層の導電性ポリマーが、ポリチオフェン、ポリセレノフェン、ポリ（テルロフェン）、ポリピロール、ポリアニリン、および多環式芳香族化合物からなる群から選択されるか、またはチオフェン、セレノフェン、テルロフェン、ピロール、アニリンおよび環式芳香族化合物からなる群から選択される前駆体モノマーと、少なくとも１つの第２のモノマーとのコポリマーである、請求項１に記載の方法。
【請求項３】
前記フッ素化酸ポリマーがコロイド形成性ポリマー酸である、請求項１に記載の方法。
【請求項４】
前記ポリマー酸がＦＳＡポリマーである、請求項３に記載の方法。
【請求項５】
前記正孔輸送材料が、９，９−ジアルキルフルオレンとトリフェニルアミンとのコポリマー、９，９−ジアルキルフルオレンと４，４’−ビス（ビフェニルアミノ）ビフェニルとのコポリマー、９，９−ジアルキルフルオレンとＴＰＢとのコポリマー、および９，９−ジアルキルフルオレンとＮＰＢとのコポリマーからなる群から選択されるコポリマーを含む少なくとも１つのポリマーを含む、請求項１に記載の方法。
【請求項６】
前記コポリマーが、（ビニルフェニル）ジフェニルアミン、９，９−ジスチリルフルオレンおよび９，９−ジ（ビニルベンジル）フルオレンからなる群から選択される第３のコモノマーをさらに含む、請求項５に記載の方法。
【請求項７】
前記正孔輸送材料が、式ＸＶＩ〜ＸＸＩＩ：
【化１】
2010515260.tif 000001
（式中、
ＲおよびＹは独立して、Ｈ、Ｄ、アルキル、フルオロアルキル、アリール、フルオロアリール、アルコキシ、アリールオキシ、ＮＲ”２、Ｒ’、
【化２】
2010515260.tif 000002
からなる群から選択され、
Ｒ’は架橋性基であり、
Ｒ”は独立して、Ｈ、アルキル、フルオロアルキル、アリール、フルオロアリール、およびＲ’からなる群から選択され、
Ｘは脱離基であり、それぞれの出現時に同じかまたは異なるものであり、
ＺはＣ、Ｎ、またはＳｉであり、
Ｑは（ＺＲ”ｎ）ｂであり、
ａは０〜５の整数であり、
ｂは０〜２０の整数であり、
ｃは０〜４の整数であり、
ｑは０〜７の整数であり、および
ｎは１〜２の整数である）、
【化３】
2010515260.tif 000003
【化４】
2010515260.tif 000004
および
【化５】
2010515260.tif 000005
（式中
ＲおよびＹは独立して、Ｈ、Ｄ、アルキル、フルオロアルキル、アリール、フルオロアリール、アルコキシ、アリールオキシ、ＮＲ”２、Ｒ’、
【化６】
2010515260.tif 000006
からなる群から選択され、
Ｒ’は架橋性基であり、
Ｒ”は独立して、Ｈ、アルキル、フルオロアルキル、アリール、フルオロアリール、およびＲ’からなる群から選択され、
Ｑは（ＺＲ”ｎ）ｂであり、
Ｘは脱離基であり、それぞれの出現時に同じかまたは異なるものであることができ、
ＺはＣ、Ｎ、またはＳｉであり、
Ｅは（ＺＲ”ｎ）ｂ、Ｏ、Ｓ、Ｓｅ、またはＴｅであり、
ａは０〜５の整数であり、
ｂは０〜２０の整数であり、
ｃは０〜４の整数であり、
ｑは０〜７の整数であり、そして
ｎは１〜２の整数である）
を有するモノマーから製造されるポリマーまたはコポリマーを含む、請求項１に記載の方法。
【請求項８】
前記正孔輸送材料が、Ｐ１〜Ｐ１１：
【化７】
2010515260.tif 000007
【化８】
2010515260.tif 000008
【化９】
2010515260.tif 000009
【化１０】
2010515260.tif 000010
からなる群から選択されるポリマーを含む、請求項１に記載の方法。
【請求項９】
前記正孔輸送材料が、
【化１１】
2010515260.tif 000011
（式中、
Ａｒはアリーレン基であり、
Ａｒ’およびＡｒ”は独立して、アリール基から選択され、
Ｒ２４〜Ｒ２７は独立して、水素、アルキル、アリール、ハロゲン、ヒドロキシル、アリールオキシ、アルコキシ、アルケニル、アルキニル、アミノ、アルキルチオ、ホスフィノ、シリル、−ＣＯＲ、−ＣＯＯＲ、−ＰＯ３Ｒ２、-ＯＰＯ３Ｒ２、およびＣＮからなる群から選択され、
Ｒは、水素、アルキル、アリール、アルケニル、アルキニル、およびアミノからなる群から選択され、そして
ｍおよびｎは、それぞれ独立して０〜５の値を有する整数であり、ここで、ｍ＋ｎ≠０である）
を含む、請求項１に記載の方法。
【請求項１０】
前記少なくとも１つのフラーレンが前記正孔輸送材料の上に層として堆積される、請求項１に記載の方法。
【請求項１１】
前記第１のエレクトロルミネセンス材料が、Ｇ１およびＧ２からなる群から選択される材料を含む、請求項１に記載の方法。
【請求項１２】
前記第２のエレクトロルミネセンス材料が、Ｒ１〜Ｒ６からなる群から選択される材料を含む、請求項１に記載の方法。
【請求項１３】
前記第３のエレクトロルミネセンス材料が、Ｂ１〜Ｂ３からなる群から選択される材料を含む、請求項１に記載の方法。
【請求項１４】
前記第１のエレクトロルミネセンス材料が第１の液体組成物から液相堆積によって適用され、第２のエレクトロルミネセンス材料が第２の液体組成物から液相堆積によって適用され、そして青色エレクトロルミネセンス材料が蒸着によって適用される、請求項１に記載の方法。
【請求項１５】
第１、第２、および第３のサブピクセル領域を有するマルチカラー有機発光ダイオードデバイスであって、
アノードと、
請求項２、５，６、７、８、および９のいずれか１項に記載の少なくとも１つの導電性ポリマーと、フッ素化酸ポリマーとを含む正孔注入層と、
請求項２、５，６、７、８、および９のいずれか１項に記載の正孔輸送材料と少なくとも１つのフラーレンとを含む、正孔輸送層と、
前記第１のサブピクセル領域中の第１のエレクトロルミネセンス層と、
前記第２のサブピクセル領域中の第２のエレクトロルミネセンス層と、
全体に青色エレクトロルミネセンス層と、
カソードと
を含み、
ここで、前記第１および第２のエレクトロルミネセンス層が異なるものであり、かつ、それぞれ、緑色エレクトロルミネセンス材料および赤色エレクトロルミネセンス材料からなる群から選択される材料を含むデバイス。
【請求項１６】
前記正孔輸送材料が架橋ポリマーである、請求項１５に記載のデバイス。
【請求項１７】
前記フラーレンが、Ｃ６０、Ｃ６０−ＰＣＢＭ、Ｃ７０、Ｃ７０−ＰＣＢＭ、Ｃ８４、Ｃ８４-ＰＣＢＭ、およびそれらの組み合わせからなる群から選択される請求項１６に記載のデバイス。
【請求項１８】
前記フラーレンが前記正孔輸送材料の上に層を構成する、請求項１５に記載のデバイス。
【請求項１９】
前記フッ素化酸ポリマーがコロイド形成性ポリマー酸である請求項１６に記載のデバイス。
【請求項２０】
９，９−ジアルキルフルオレンとトリフェニルアミンとのコポリマー、９，９−ジアルキルフルオレンと４，４’−ビス（ビフェニルアミノ）ビフェニルとのコポリマー、９，９−ジアルキルフルオレンとＴＰＢとのコポリマー、および９，９−ジアルキルフルオレンとＮＰＢとのコポリマーからなる群から選択されるコポリマーを含む少なくとも１つのポリマー、
または
９，９−ジアルキルフルオレンとトリフェニルアミンとのコポリマー、９，９−ジアルキルフルオレンと４，４’−ビス（ビフェニルアミノ）ビフェニルとのコポリマー、９，９−ジアルキルフルオレンとＴＰＢとのコポリマー，および９，９−ジアルキルフルオレンとＮＰＢとのコポリマーからなる群から選択されるコポリマーであって、それぞれが、（ビニルフェニル）ジフェニルアミン、９，９−ジスチリルフルオレンおよび９，９−ジ（ビニルベンジル）フルオレンからなる群から選択される第３のコモノマーを含むコポリマーを含む少なくとも１つのポリマーと、
少なくとも１つのフラーレンと
を含む正孔輸送材料を含む正孔輸送層。
【手続補正２】
【補正対象書類名】明細書
【補正対象項目名】０３１１
【補正方法】変更
【補正の内容】
【０３１１】
別々の実施形態の状況において、明確にするために、本明細書に記載されている特定の特徴は、１つの実施形態の中で組み合わせても提供できることを理解されたい。逆に、簡潔にするために、１つの実施形態の状況において説明される種々の特徴も、別々に提供したり、あらゆる副次的な組み合わせで提供したりすることができる。本明細書において明記される種々の範囲内の数値が使用される場合、記載の範囲内の最小値および最大値の両方の前に単語「約」が付けられているかのように近似値として記載されている。この方法では、記載の範囲よりもわずかに上およびわずかに下のばらつきを使用して、その範囲内の値の場合と実質的に同じ結果を得ることができる。また、これらの範囲の開示は、ある値の一部の成分を異なる値の一部の成分と混合した場合に生じうる分数値を含めて、最小平均値と最大平均値との間のすべての値を含む連続した範囲であることを意図している。さらに、より広い範囲およびより狭い範囲が開示される場合、ある範囲の最小値を別の範囲の最大値と一致させること、およびその逆のことが本発明の意図の範囲内となる。
以下に、本発明の好ましい態様を示す。
［１］  第１、第２および第３のサブピクセル領域を有するマルチカラー有機発光ダイオードの形成方法であって、
アノード層の上に正孔注入層を適用するステップであって、前記正孔注入層が少なくとも１つの導電性ポリマーとフッ素化酸ポリマーとを含むステップと、
前記正孔注入層の上に正孔輸送層を適用するステップであって、前記正孔輸送層が正孔輸送材料と少なくとも１つのフラーレンとを含むステップと、
第１のサブピクセル領域に第１のエレクトロルミネセンス材料を適用するステップと、
第２のサブピクセル領域に第２のエレクトロルミネセンス材料を適用するステップと、
青色エレクトロルミネセンス材料を全体に適用するステップと、
カソードを適用するステップと
を含み、
ここで、前記第１および第２のエレクトロルミネセンス材料が、緑色エレクトロルミネセンス材料および赤色エレクトロルミネセンス材料からなる群から選択され、
前記第２のエレクトロルミネセンス材料が、前記第１のエレクトロルミネセンス材料の色とは異なる色を発することを条件とする方法。
［２］  前記正孔注入層の導電性ポリマーが、ポリチオフェン、ポリセレノフェン、ポリ（テルロフェン）、ポリピロール、ポリアニリン、および多環式芳香族化合物からなる群から選択される、［１］に記載の方法。
［３］  前記導電性ポリマーが、チオフェン、セレノフェン、テルロフェン、ピロール、アニリンおよび環式芳香族化合物からなる群から選択される前駆体モノマーと、少なくとも１つの第２のモノマーとのコポリマーである、［１］に記載の方法。
［４］  前記フッ素化酸ポリマーがコロイド形成性ポリマー酸である、［１］に記載の方法。
［５］  前記ポリマー酸がＦＳＡポリマーである、［４］に記載の方法。
［６］  前記正孔輸送材料が、９，９−ジアルキルフルオレンとトリフェニルアミンとのコポリマー、９，９−ジアルキルフルオレンと４，４’−ビス（ビフェニルアミノ）ビフェニルとのコポリマー、９，９−ジアルキルフルオレンとＴＰＢとのコポリマー、および９，９−ジアルキルフルオレンとＮＰＢとのコポリマーからなる群から選択されるコポリマーを含む少なくとも１つのポリマーを含む、［１］に記載の方法。
［７］  前記コポリマーが、（ビニルフェニル）ジフェニルアミン、９，９−ジスチリルフルオレンおよび９，９−ジ（ビニルベンジル）フルオレンからなる群から選択される第３のコモノマーをさらに含む、［６］に記載の方法。
「８」  前記正孔輸送材料が、式ＸＶＩ〜ＸＸＩＩ：
【化１２】
2010515260.tif 000012
（式中、
ＲおよびＹは独立して、Ｈ、Ｄ、アルキル、フルオロアルキル、アリール、フルオロアリール、アルコキシ、アリールオキシ、ＮＲ”2、Ｒ’、
【化１３】
2010515260.tif 000013
からなる群から選択され、
Ｒ’は架橋性基であり、
Ｒ”は独立して、Ｈ、アルキル、フルオロアルキル、アリール、フルオロアリール、およびＲ’からなる群から選択され、
Ｘは脱離基であり、それぞれの出現時に同じかまたは異なるものであり、
ＺはＣ、Ｎ、またはＳｉであり、
Ｑは（ＺＲ”n）bであり、
ａは０〜５の整数であり、
ｂは０〜２０の整数であり、
ｃは０〜４の整数であり、
ｑは０〜７の整数であり、および
ｎは１〜２の整数である）、
【化１４】
2010515260.tif 000014
【化１５】
2010515260.tif 000015
【化１６】
2010515260.tif 000016
（式中
ＲおよびＹは独立して、Ｈ、Ｄ、アルキル、フルオロアルキル、アリール、フルオロアリール、アルコキシ、アリールオキシ、ＮＲ”2、Ｒ’、
【化１７】
2010515260.tif 000017
からなる群から選択され、
Ｒ’は架橋性基であり、
Ｒ”は独立して、Ｈ、アルキル、フルオロアルキル、アリール、フルオロアリール、およびＲ’からなる群から選択され、
Ｑは（ＺＲ”n）bであり、
Ｘは脱離基であり、それぞれの出現時に同じかまたは異なるものであることができ、
ＺはＣ、Ｎ、またはＳｉであり、
Ｅは（ＺＲ”n）b、Ｏ、Ｓ、Ｓｅ、またはＴｅであり、
ａは０〜５の整数であり、
ｂは０〜２０の整数であり、
ｃは０〜４の整数であり、
ｑは０〜７の整数であり、そして
ｎは１〜２の整数である）
を有するモノマーから製造されるポリマーまたはコポリマーを含む、［１］に記載の方法。
［９］  前記正孔輸送材料が、Ｐ１〜Ｐ１１：
【化１８】
2010515260.tif 000018
【化１９】
2010515260.tif 000019
【化２０】
2010515260.tif 000020
【化２１】
2010515260.tif 000021
【化２２】
2010515260.tif 000022
からなる群から選択されるポリマーを含む、［１］に記載の方法。
［１０］  前記正孔輸送材料が、
【化２３】
2010515260.tif 000023
（式中、
Ａｒはアリーレン基であり、
Ａｒ’およびＡｒ”は独立して、アリール基から選択され、
Ｒ24〜Ｒ27は独立して、水素、アルキル、アリール、ハロゲン、ヒドロキシル、アリールオキシ、アルコキシ、アルケニル、アルキニル、アミノ、アルキルチオ、ホスフィノ、シリル、−ＣＯＲ、−ＣＯＯＲ、−ＰＯ3Ｒ2、-ＯＰＯ3Ｒ2、およびＣＮからなる群から選択され、
Ｒは、水素、アルキル、アリール、アルケニル、アルキニル、およびアミノからなる群から選択され、そして
ｍおよびｎは、それぞれ独立して０〜５の値を有する整数であり、ここで、ｍ＋ｎ≠０である）
を含む、［１］に記載の方法。
［１１］  前記少なくとも１つのフラーレンが前記正孔輸送材料の上に層として堆積される、［１］に記載の方法。
［１２］  前記第１のエレクトロルミネセンス材料が、Ｇ１およびＧ２からなる群から選択される材料を含む、［１］に記載の方法。
［１３］  前記第２のエレクトロルミネセンス材料が、Ｒ１〜Ｒ６からなる群から選択される材料を含む、［１］に記載の方法。
［１４］  前記第３のエレクトロルミネセンス材料が、Ｂ１〜Ｂ３からなる群から選択される材料を含む、［１］に記載の方法。
［１５］  前記第１のエレクトロルミネセンス材料が第１の液体組成物から液相堆積によって適用され、第２のエレクトロルミネセンス材料が第２の液体組成物から液相堆積によって適用され、そして青色エレクトロルミネセンス材料が蒸着によって適用される、［１］に記載の方法。
［１６］  液体閉じ込め構造またはバンク構造を適用するステップをさらに含む、［１］に記載の方法。
［１７］  第１、第２、および第３のサブピクセル領域を有するマルチカラー有機発光ダイオードデバイスであって、
アノードと、
少なくとも１つの導電性ポリマーとフッ素化酸ポリマーとを含む正孔注入層と、
正孔輸送材料と少なくとも１つのフラーレンとを含む、正孔輸送層と、
前記第１のサブピクセル領域中の第１のエレクトロルミネセンス層と、
前記第２のサブピクセル領域中の第２のエレクトロルミネセンス層と、
全体に青色エレクトロルミネセンス層と、
カソードと
を含み、
ここで、前記第１および第２のエレクトロルミネセンスが異なるものであり、そしてそれぞれ、緑色エレクトロルミネセンス材料および赤色エレクトロルミネセンス材料からなる群から選択される材料を含むデバイス。
［１８］  前記正孔輸送材料が架橋ポリマーである、［１７］に記載のデバイス。
［１９］  前記フラーレンが、Ｃ６０、Ｃ６０−ＰＣＢＭ、Ｃ７０、Ｃ７０−ＰＣＢＭ、Ｃ８４、Ｃ８４-ＰＣＢＭ、およびそれらの組み合わせからなる群から選択される［１８］に記載のデバイス。
［２０］  前記フラーレンが前記正孔輸送材料の上に層を構成する、［１７］に記載のデバイス。
［２１］  正孔輸送材料と少なくとも１つのフラーレンとを含む正孔輸送層。
［２２］  前記正孔輸送材料が、
９，９−ジアルキルフルオレンとトリフェニルアミンとのコポリマー、９，９−ジアルキルフルオレンと４，４’−ビス（ビフェニルアミノ）ビフェニルとのコポリマー、９，９−ジアルキルフルオレンとＴＰＢとのコポリマー、および９，９−ジアルキルフルオレンとＮＰＢとのコポリマーからなる群から選択されるコポリマーを含む少なくとも１つのポリマー、または
９，９−ジアルキルフルオレンとトリフェニルアミンとのコポリマー、９，９−ジアルキルフルオレンと４，４’−ビス（ビフェニルアミノ）ビフェニルとのコポリマー、９，９−ジアルキルフルオレンとＴＰＢとのコポリマー、および９，９−ジアルキルフルオレンとＮＰＢとのコポリマーからなる群から選択されるコポリマーであって、それぞれが、（ビニルフェニル）ジフェニルアミン、９，９−ジスチリルフルオレンおよび９，９−ジ（ビニルベンジル）フルオレンからなる群から選択される第３のコモノマーを含むコポリマーを含む少なくとも１つのポリマー
を含む、［２１］に記載の正孔輸送層。
［２３］  前記フラーレンが、Ｃ６０、Ｃ６０−ＰＣＢＭ、Ｃ７０、Ｃ７０−ＰＣＢＭ、Ｃ８４、Ｃ８４−ＰＣＢＭ、およびそれらの組み合わせからなる群から選択される、［２２］に記載の正孔輸送層。
［２４］  前記フラーレンが前記正孔輸送材料の上に層を構成する、［２１］に記載の正孔輸送層。